(57)【特許請求の範囲】
【請求項１】
タービン動翼と、前記タービン動翼を固定するディスクとを有するタービンロータにお
いて、
前記タービン動翼と前記ディスクとの結合部に棒状のピンが設けられており、前記ピンは複数の部材より形成され、
前記ピンは、ピン軸方向に穿孔された穴を有し、前記穴の内部に充填部材を有し、
前記充填部材は内部ピンであり、
前記ピンと前記内部ピンの間に、前記ピンが遠心力によって生じた翼荷重により変形することにより前記内部ピンと接触するための隙間を有することを特徴とするタービンロータ。
【請求項２】
請求項１に記載のタービンロータにおいて、
前記内部ピンは磁性体であることを特徴とするタービンロータ。
【請求項３】
請求項１に記載のタービンロータにおいて、
前記穴はねじ穴を有し、前記内部ピンはねじ部を有することを特徴とするタービンロータ。
【発明の詳細な説明】
【技術分野】
【０００１】
本発明は、固定されたタービン動翼を有するタービンロータに関する。
【背景技術】
【０００２】
特開２００１−１２２０８号公報（特許文献１）では、フォーク型翼植込部を有するタービン動翼とディスクの結合構造について開示されており、蒸気タービン用のタービンロータのタービン翼とタービンロータをピンにより結合する発明が開示されている。図１１に、従来のフォーク型翼植込部と呼ばれる蒸気タービン翼とディスクの結合構造を示す。タービン翼１の下部に位置する翼植込部２ａは、軸方向１１に配分された複数の翼フォーク２を有し、それらはディスク側に配分されたディスクフォーク３と交互に係合され、半径方向１０位置の異なる複数のピン４を軸方向１１に貫通させることにより結合されている。
【先行技術文献】
【特許文献】
【０００３】
【特許文献１】特開平２００１−１２２０８号公報
【発明の概要】
【発明が解決しようとする課題】
【０００４】
タービン翼とディスクの結合部には、翼の回転に伴って大きな遠心力が作用し、かつ、蒸気による振動荷重が作用する環境にある。従来例のロータ構造の翼結合部では、場合によっては蒸気による振動荷重により高い応力が発生する可能性がある。本発明の目的は、翼結合部において、蒸気による振動荷重による応力を低減するタービン翼とタービンロータの結合方法を検討し、構造健全性の高いタービンロータを提供することにある。
【課題を解決するための手段】
【０００５】
上記課題を解決する本発明の特徴は、タービンロータのディスクとタービン翼との結合
部に、振動荷重による応力を低減するピンを設けることにある。具体的には、複数の部材
が一体化された棒状のピンを使用し、隙間を有する部材間の摩擦力などにより応力を低減する。例えば、内部ピンなどの充填部材を有するピンを使用する。その結果、翼の回転に伴って大きな遠心力が作用したり、蒸気による振動荷重がかかった場合には、ピンを構成する複数の部材間で摩擦によるすべりなどの構造減衰力が発生し、振動負荷を減衰させることができる。
【発明の効果】
【０００６】
本発明によれば、構造健全性に優れたタービンロータを提供することができる。
【図面の簡単な説明】
【０００７】
【図１】（ａ）タービン翼とディスク部との結合構造を示す図である。（ｂ）タービン翼結合部の断面を示す図である。
【図２】タービン翼とロータの結合部の詳細を示す図である。
【図３】無回転時のタービン翼とロータの結合部の形状を示す図である。
【図４】回転時のタービン翼とロータの結合部の形状を示す図である。
【図５】実施例のピンの断面を示す図である。
【図６】実施例のピンの断面を示す図である。
【図７】実施例のピンの断面を示す図である。
【図８】実施例のピンの断面を示す図である。
【図９】タービン翼とディスク部との結合構造を示す図である。
【図１０】タービン翼とディスク部との結合構造を示す図である。
【図１１】従来のタービン翼とディスクの結合部の構造を示す図である。
【発明を実施するための形態】
【０００８】
タービン翼とディスクの結合部には、翼の回転に伴って大きな遠心力が作用し、かつ、蒸気による振動荷重が作用するため、結合部は強度的に非常に厳しい環境にあった。そこで、本発明はタービン翼とタービンロータを複数の部材より形成された棒状のピンにより締結することとしている。翼の回転に伴って大きな遠心力が作用し、かつ、蒸気による振動荷重が作用した場合に、翼を締結した該ピンでは、ピンを構成する複数の部材間で摩擦によるすべりなどの構造減衰力が発生し、振動負荷を減衰させることができる。
【０００９】
タービン動翼とタービンロータとは、互いに嵌合され、嵌合部を棒状のピンにより固定して締結される。棒状のピンが複数の部材より形成されており、ピン内部に内部ピンなどの部材を内包させている。内部ピンを設ける構造の他、ピンを軸方向に分割し、通しボルトや嵌合などで一体化したものを使用することができる。翼の回転に伴って大きな遠心力が作用し、かつ、蒸気による振動荷重が作用した場合に、翼を締結したピンでは、ピンを構成する複数の部材間で摩擦によるすべりなどの構造減衰力が発生し、振動負荷を減衰させることができる。すなわち、振動負荷により、タービン翼やタービンロータに発生する応力を低減することができる。これにより、タービン翼やタービンロータの構造健全性を高めることができる。
【００１０】
内部ピンを使用する場合には、ピン軸方向に穿孔されたねじ穴やボルト穴を設け、ねじ部を有する内部ピンやボルトを挿入して嵌合部を締めることにより、容易にタービン動翼とタービンロータの締結が可能となる。
【００１１】
ピンに内包される部材を磁性体・ダンパ材などとすることにより、さらに振動の抑制が可能となる。
【００１２】
上記の構造は適宜組み合わせて設計が可能であり、上記のタービン翼を固定したタービンロータは発電設備に好適である。なお、本発明は、クリスマスツリー型，フォーク型など、従来の任意のタービン翼とディスクとの結合構造に適用可能である。以下、本発明の実施例を図面を用いて説明する
【実施例１】
【００１３】
図１（ａ）と図１（ｂ）は蒸気タービン翼とディスクの結合構造を示している。図１（ｂ）は、図１（ａ）の横断面図である。この結合構造は、フォーク型翼植込部と呼ばれる。タービン動翼１の下部に翼植込部２ａが設けられており、翼植込部２ａは軸方向１１に配分された複数の翼フォーク２を有する。翼フォーク２は、ディスク側に設けられたディスクフォーク３と交互に係合され、複数のピン４を軸方向１１に貫通させることにより結合されている。複数のピン４は、半径方向１０の異なる位置に配置されている。
【００１４】
図２にピン４の詳細断面図を示す。ピン４には、ピン軸方向に穴が穿孔され、この穴の中に、内部ピン５を内包している。ピン４と内部ピン５は、接触面５ａを介して接触している。タービン翼１に振動負荷が加わった場合、タービン翼１とディスクフォーク３を結合しているピン４も振動負荷による荷重を受けて振動する。このとき、ピン４は穿孔された穴の中に内部ピン５を有しており、ピン４と内部ピン５の間に存在する摩擦面５ａにおいて、ピン４と内部ピン５の相対すべりが発生する。ピン４と内部ピン５の間に発生する相対すべりにより、ピン４と内部ピン５の間に働く摩擦力による仕事が振動負荷によるエネルギを散逸させ、タービン翼１の振動負荷に対する応答を低減することができる。
【００１５】
すなわち、ピン４と内部ピン５の間に存在する摩擦面５ａにおいて、ピン４と内部ピン５の相対すべりを発生させることにより、ピン４と内部ピン５はダンパとして働き、タービン翼１に発生する、振動負荷に対する応答である振動応力を低減することができる。
【００１６】
また、内部ピンを磁石などの磁性体とすることも有効である。磁性体をピン４の内部に挿入することで、振動エネルギを誘導電流によるジュール熱に変換し、タービン翼１の減衰を大きくさせることが可能となる。
【００１７】
ピン４と内部ピン５の間隙は、組立てが可能な程度の隙間をあけても良いし、シメシロを設けてもよい。ピン４と内部ピン５の間に隙間がある場合は、ピン４から内部ピン５が抜けることがないように、内部ピン５の抜け防止の策を講じる。例えば、端部をカシメたり、溶接したり、ねじ止めしたりすることが好ましい。ピン４と内部ピン５にシメシロを設ける場合は、焼き嵌め，冷やし嵌め，圧入などの方法で、ピン４に内部ピン５を挿入する。
【００１８】
図３と図４にピン４と内部ピン５の隙間設定に関する模式図を示す。図３はタービンが無回転の状態であり、図４はタービンが回転した状態である。タービンが回転すると翼フォーク２には遠心力による荷重Ａが加わり、ピン４は図のように変形し、内部ピン５は遠心力によりピン穴５ｅに接触する。このときピン４の穴の変形の大きい点５ｆと変形の小さい点５ｇの変形差よりも、内部ピン５とピン穴５ｅとの隙間を小さくすることにより、内部ピン５をピン穴５ｅに確実に接触させ、良好な振動減衰能力を付与することができる。この隙間は、数十μｍ程度とする。１０〜８０μｍの間隙であれば、機械加工や組立てが十分可能である。
【００１９】
なお、図１〜図４では、ピン４に穿孔した穴がピン４を貫通している例を示しているが、ピン４を貫通している必要はなく、ピン４の端部からある適当な長さであっても良い。ピン４に貫通孔ではない挿入孔を設けることにより、ピン４の穴加工や内部ピン５の挿入が容易となる。
【００２０】
また、内部ピン５の側面や、ピン４に穿孔した穴の内面にローレット加工を施し、ピン側面の摩擦係数を高め、摩擦力による仕事による散逸エネルギを増加させても良い。
【００２１】
さらに、内部ピン５は、複数のピンや小さな玉であっても、また、ダンパ材，磁石等であっても、ピン４との間に発生する摩擦力の仕事により、振動エネルギを散逸することができる。
【実施例２】
【００２２】
本実施例は、ピン４から内部ピン５が抜けることがないように、内部ピン５の抜け防止の手段を設けた例について説明する。
【００２３】
図５は、内部ピン５にねじ部５ｂ，５ｃを有するピン４を示す図である。内部ピン５には回し穴５ｄが設けられており、回し穴５ｄにレンチを入れてピン４を回すことにより、内部ピン５をピン４に挿入する。内部ピン５にねじ部を有することにより、組立てが容易である。さらに、ピン４の端部４ａ，４ｂをカシメたり、溶接することにより、内部ピン５の抜け防止を行うことが好ましい。ピン４では、前述のように、翼の遠心荷重を分担する必要がある。この際、ピン４にはせん断応力と曲げ応力が発生するが、ピン４に穿孔した穴による断面積減少と断面係数の減少による応力増加により、ピン４と内部ピン５の応力が制限値、すなわち、降伏応力や抗張力に安全率を考慮した許容値、を超えないように設定する。
【００２４】
図６は、ピン４に穿孔した穴に、内部ピン５を内包し、穿孔した穴の端部に抜け止め栓６を設けた例を示す図である。他の例と同様に、ピン４と内部ピン５間に発生する相対すべりによる摩擦力の仕事により、振動エネルギを散逸させることができる。
【００２５】
図６の内部ピン５は、ダンパ材に変更してもよい。ダンパ材としては内部摩擦の大きな材料を使用でき、メッシュバネ，砂鉄，鉛やアルミニウムなどの軟らかい金属や、樹脂，ゴムのような粘弾性体などが例示される。ダンパ材をピン４の充填材として使用することにより、振動エネルギを抑制できる。
【実施例３】
【００２６】
本実施例では、ピン４を長手方向に一体化された複数の部材で構成することにより、振動負荷に対する応答を低減する例を示す。図７は、ピン４を軸方向（長手方向）に分割された複数の部材７，８，９により構成した例である。部材７は軸端に凸部７ｂと凹部７ａを有し、凸部７ｂと凹部７ａを嵌め込むことにより複数の部材７を軸方向に連結する。連結された部材７の端部には、一方が平坦な部材８と部材９を嵌め込み、ピン４を構成する。凸部７ｂ，８ｂと凹部７ａ，９ａは、部材７と同様の嵌め合い構造により連結される。その結果、ピン４は、複数の部材が長手方向に一体化されており、凸部７ｂ，８ｂと凹部７ａ，９ａの嵌め合い部で多数の接触面を有し、この接触面の摩擦により、振動の減衰を高めることができる。
【００２７】
図８は、同様にピン４を軸方向に分割した構成である。この実施例では、ピン４の軸方向に分割された複数の部材１３の中央に、さらにボルト穴１３ａを穿孔し、このボルト穴１３ａにボルト１５を通した。さらに、ナット１４を用いて締め込み、ピン４を構成した。この実施例においても、ピン４は、部材１３の軸方向に多数の接触面を有することにより、この接触面の摩擦により、減衰を高めることができる。
【実施例４】
【００２８】
図９に、実施例１と異なるタービン翼とディスクとの結合構造を示す。これは、ディスク２２に溝２４が設けられており、一方、翼２０にはＴ字型の植え込み部２３が設けられており、溝２４と植え込み部２３とを嵌合した構造である。翼２０の先端にはシュラウド２１が設けられている。本実施例では、ディスク２２に設けた溝２４とＴ字型の植え込み部２３を嵌合した部位にピン４を挿入し、このピン４に穿孔した穴に内部ピン５が挿入されている。このピンにより、図１や図２に示した実施例と同様な作用により翼２０の振動を低減することができる。
【実施例５】
【００２９】
図１０に、さらに他のタービン翼と、翼を固定するためのディスクとの結合構造を示す。この構造は、クリスマスツリー型翼溝と呼ばれ、ディスク３１には溝３３が設けられており、翼３０にはクリスマスツリー型の植え込み部３２が設けられており、これらを嵌合した構造である。翼３０の先端にはシュラウド３５が設けられている。
【００３０】
本実施例では、翼３０の翼根元３４に穿孔した穴にピン４を挿入し、このピン４に穿孔した穴に内部ピン５が挿入されている。このピンにより、図１や図２に示した実施例と同様な作用により翼３０の振動を低減することができる。
【符号の説明】
【００３１】
１  タービン動翼
２  翼フォーク
２ａ  翼植え込み部
３，２２，３１，３３  ディスク
４  ピン
４ａ，４ｂ  ピン端部カシメ
５  内部ピン
５ａ  接触面
５ｂ，５ｃ  ねじ部
５ｄ  回し穴
５ｅ  ピン穴
５ｆ  ピン４の穴の変形の大きい点
５ｇ  ピン４の穴の変形の小さい点
６  抜け止め栓
７，８，９，１３  部材
７ａ，９ａ  凹部
７ｂ，８ｂ  凸部
１０  タービンロータの半径方向
１１  タービンロータの軸方向
１２  タービンロータ
１３ａ  ボルト穴
１４  ナット
１５  ボルト
２０，３０  翼
２１，３５  シュラウド
２３  Ｔ字型の植え込み部
２４  溝
３２  クリスマスツリー型の植え込み部
３４  翼根元
Ａ  遠心力による荷重
【図１】
0005393294.tif 000002
【図２】
0005393294.tif 000003
【図３】
0005393294.tif 000004
【図４】
0005393294.tif 000005
【図５】
0005393294.tif 000006
【図６】
0005393294.tif 000007
【図７】
0005393294.tif 000008
【図８】
0005393294.tif 000009
【図９】
0005393294.tif 000010
【図１０】
0005393294.tif 000011
【図１１】
0005393294.tif 000012